(57)【要約】【課題】通信の効率化を図ること。【解決手段】基地局１１０は、通信部１１１と、測定部１１２と、切替部１１３と、を備えている。通信部１１１は、ネットワーク１３０までの伝送経路が異なる複数の通信方式を使用可能な移動端末１０１とネットワーク１３０との間の通信を中継する。測定部１１２は、複数の通信方式のそれぞれの伝送経路における遅延量を測定する。切替部１１３は、測定部１１２による遅延量の測定結果を含む所定情報に基づいて複数の通信方式のうちの通信に用いる通信方式を切り替える。【選択図】図１−２
2014200035.tif 000002
【特許請求の範囲】
【請求項１】
ネットワークまでの伝送経路が異なる複数の通信方式を使用可能な移動端末と前記ネットワークとの間の通信を中継する通信部と、
前記複数の通信方式のそれぞれの前記伝送経路における遅延量を測定する測定部と、
前記測定部による前記遅延量の測定結果を含む所定情報に基づいて前記複数の通信方式のうちの前記通信の中継に用いる通信方式を切り替える切替部と、
を備えることを特徴とする基地局。
【請求項２】
前記切替部は、前記移動端末が前記ネットワークとの間で送受信するデータ量を示す情報を含む前記所定情報に基づいて前記通信の中継に用いる通信方式を切り替えることを特徴とする請求項１に記載の基地局。
【請求項３】
前記切替部は、前記移動端末が前記ネットワークとの間で送受信するデータの種別を示す情報を含む前記所定情報に基づいて前記通信の中継に用いる通信方式を切り替えることを特徴とする請求項１または２に記載の基地局。
【請求項４】
前記切替部は、前記所定情報の内容と、前記複数の通信方式のうちのいずれかの通信方式と、が対応付けられたユーザ設定可能な対応情報に基づいて前記通信の中継に用いる通信方式を切り替えることを特徴とする請求項１〜３のいずれか一つに記載の基地局。
【請求項５】
前記切替部は、前記所定情報に含まれる複数種類の情報の優先順位を示すユーザ設定可能な優先順位情報に基づいて、前記複数種類の情報のうちの前記優先順位が高い情報を優先的に選択し、選択した情報に基づいて前記通信の中継に用いる通信方式を切り替えることを特徴とする請求項１〜４のいずれか一つに記載の基地局。
【請求項６】
前記切替部は、前記複数の通信方式のうちの所定通信方式による通信を要求する前記移動端末からの要求信号に対して自局が応答しないことにより、前記移動端末が用いる通信方式を、前記複数の通信方式のうちの前記所定通信方式と異なる通信方式に切り替えることを特徴とする請求項１〜５のいずれか一つに記載の基地局。
【請求項７】
前記切替部は、前記複数の通信方式の中から前記所定情報に基づいて選択した通信方式への切替を指示する信号を前記移動端末へ送信することによって前記移動端末が用いる通信方式を切り替えることを特徴とする請求項１〜６のいずれか一つに記載の基地局。
【請求項８】
前記複数の通信方式は、
第１通信方式および前記第１通信方式と異なる第２通信方式を含み、
前記通信部は、
前記移動端末から前記第１通信方式により受信したデータを前記第１通信方式の伝送経路により前記ネットワークへ送信し、前記ネットワークから前記第１通信方式の伝送経路により受信したデータを前記第１通信方式により前記移動端末へ送信する第１状態と、
前記移動端末から前記第１通信方式により受信したデータを前記第２通信方式のプロトコルに変換して前記第２通信方式の伝送経路により前記ネットワークへ送信し、前記ネットワークから前記第２通信方式の伝送経路により受信したデータを前記第１通信方式のプロトコルに変換して前記第１通信方式により前記移動端末へ送信する第２状態と、
に切替可能であり、
前記切替部は、
前記所定情報に基づいて前記通信部を前記第１状態または前記第２状態に切り替える、
ことを特徴とする請求項１〜７のいずれか一つに記載の基地局。
【請求項９】
ネットワークまでの伝送経路が異なる複数の通信方式を使用可能な移動端末と前記ネットワークとの間の通信を中継する基地局における制御方法であって、
前記複数の通信方式のそれぞれの前記伝送経路における遅延量を測定し、
前記遅延量の測定結果を含む所定情報に基づいて前記複数の通信方式のうちの前記通信の中継に用いる通信方式を切り替える、
ことを特徴とする制御方法。
【請求項１０】
ネットワークまでの伝送経路が異なる複数の通信方式を使用可能な移動端末と、
前記移動端末と前記ネットワークとの間の通信を中継し、前記複数の通信方式のそれぞれの前記伝送経路における遅延量を測定し、前記遅延量の測定結果を含む所定情報に基づいて前記複数の通信方式のうちの前記通信の中継に用いる通信方式を切り替える基地局と、
を含むことを特徴とする通信システム。
【発明の詳細な説明】
【技術分野】
【０００１】
本発明は、基地局、制御方法および通信システムに関する。
【背景技術】
【０００２】
従来、複数の基地局の中から、基地局の上位装置が選択した基地局を用いて無線通信を行う技術が知られている（たとえば、下記特許文献１，２参照。）。また、携帯端末向けの小型基地局であり家庭内等に設置されるＨｅＮＢ（Ｈｏｍｅ  ｅＮｏｄｅＢ：フェムト基地局）が知られている。また、ＨｅＮＢが複数の通信方式に対応し、ユーザ端末を利用するエンドユーザが自発的に通信方式を選択することを可能にしたり、無線伝搬状況に応じてユーザ端末が自動的に通信方式を選択したりする技術が知られている。
【先行技術文献】
【特許文献】
【０００３】
【特許文献１】特開２０１２−１５７２５号公報
【特許文献２】特開２０１１−７１６２５号公報
【発明の概要】
【発明が解決しようとする課題】
【０００４】
しかしながら、上述した従来技術では、たとえば、ユーザ端末が無線伝搬状況に応じて通信方式を選択しても、選択された通信方式のネットワーク側における伝送経路が混雑している場合がある。このため、通信の効率化が困難であるという問題がある。
【０００５】
本発明は、上述した従来技術による問題点を解消するため、通信の効率化を図ることができる基地局、制御方法および通信システムを提供することを目的とする。
【課題を解決するための手段】
【０００６】
上述した課題を解決し、目的を達成するため、本発明の一側面によれば、ネットワークまでの伝送経路が異なる複数の通信方式を使用可能な移動端末と前記ネットワークとの間の通信を中継する基地局において、前記複数の通信方式のそれぞれの前記伝送経路における遅延量を測定し、前記遅延量の測定結果を含む所定情報に基づいて前記複数の通信方式のうちの前記通信の中継に用いる通信方式を切り替える基地局、制御方法および通信システムが提案される。
【発明の効果】
【０００７】
本発明の一側面によれば、通信の効率化を図ることができるという効果を奏する。
【図面の簡単な説明】
【０００８】
【図１−１】図１−１は、実施の形態にかかる通信システムの一例を示す図である。
【図１−２】図１−２は、図１−１に示した通信システムにおける信号の流れの一例を示す図である。
【図２】図２は、通信システムの具体例を示す図である。
【図３−１】図３−１は、ＨｅＮＢの構成の一例を示す図である。
【図３−２】図３−２は、図３−１に示したＨｅＮＢの回路構成の一例を示す図である。
【図４】図４は、切替制御処理部の構成の一例を示す図である。
【図５−１】図５−１は、ＵＥの構成の一例を示す図である。
【図５−２】図５−２は、図５−１に示したＵＥの回路構成の一例を示す図である。
【図６−１】図６−１は、ＨｅＭＳの構成の一例を示す図である。
【図６−２】図６−２は、図６−１に示したＨｅＭＳの回路構成の一例を示す図である。
【図７−１】図７−１は、遅延測定装置の構成の一例を示す図である。
【図７−２】図７−２は、図７−１に示した遅延測定装置の回路構成の一例を示す図である。
【図８】図８は、通信方式の選択条件テーブルの一例を示す図である。
【図９】図９は、優先順位情報の一例を示す図である。
【図１０−１】図１０−１は、ＨｅＮＢの選択処理の一例を示すフローチャート（その１）である。
【図１０−２】図１０−２は、ＨｅＮＢの選択処理の一例を示すフローチャート（その２）である。
【図１１】図１１は、各ＵＥの通信方式の切替の一例を示す図である。
【図１２】図１２は、通信システムにおけるＨｅＮＢの設定動作の一例を示すシーケンス図である。
【図１３】図１３は、通信システムにおけるネットワーク品質および無線伝搬状況の取得処理の一例を示すシーケンス図である。
【図１４−１】図１４−１は、通信システムにおける通信時の動作例１を示すシーケンス図（その１）である。
【図１４−２】図１４−２は、通信システムにおける通信時の動作例１を示すシーケンス図（その２）である。
【図１５−１】図１５−１は、通信システムにおける通信時の動作例２を示すシーケンス図（その１）である。
【図１５−２】図１５−２は、通信システムにおける通信時の動作例２を示すシーケンス図（その２）である。
【図１６】図１６は、ＵＥの構成の変形例を示す図である。
【図１７】図１７は、通信システムにおける通信時の動作例３を示すシーケンス図である。
【図１８】図１８は、ＨｅＮＢの切替制御処理部の構成の変形例を示す図である。
【図１９】図１９は、通信システムにおける通信時の動作例４を示すシーケンス図である。
【発明を実施するための形態】
【０００９】
以下に図面を参照して、本発明にかかる基地局、制御方法および通信システムの実施の形態を詳細に説明する。
【００１０】
（実施の形態）
図１−１は、実施の形態にかかる通信システムの一例を示す図である。図１−２は、図１−１に示した通信システムにおける信号の流れの一例を示す図である。図１−１，図１−２に示すように、実施の形態にかかる通信システム１００は、移動端末１０１と、基地局１１０と、を含む。移動端末１０１は、基地局１１０との間で無線通信を行う。そして、移動端末１０１は、基地局１１０の中継によりネットワーク１３０との間で通信を行う。ネットワーク１３０の一例として、たとえばインターネット網を挙げることができる。移動端末１０１は複数あってもよい。
【００１１】
また、移動端末１０１は、複数の通信方式を切り替えて使用可能である。複数の通信方式は、たとえばネットワーク１３０までの伝送経路が異なる。たとえば、移動端末１０１は、基地局１１０からネットワーク１３０までの伝送経路が第１伝送経路１２１である第１通信方式と、基地局１１０からネットワーク１３０までの伝送経路が第２伝送経路１２２である第２通信方式と、を使用可能であるとする。
【００１２】
第１通信方式および第２通信方式のうちの一方の一例として、たとえば移動体通信網を経由してインターネット網に接続する３Ｇ（３ｒｄ  Ｇｅｎｅｒａｔｉｏｎ：第３世代移動通信システム）やＬＴＥ（Ｌｏｎｇ  Ｔｅｒｍ  Ｅｖｏｌｕｔｉｏｎ）を挙げることができる。第１通信方式および第２通信方式のうちの他方の一例として、たとえば移動体通信網を経由しないでインターネット網に接続するＷｉＦｉ（Ｗｉｒｅｌｅｓｓ  Ｆｉｄｅｌｉｔｙ）等のＷＬＡＮ（Ｗｉｒｅｌｅｓｓ  Ｌｏｃａｌ  Ａｒｅａ  Ｎｅｔｗｏｒｋ：無線構内通信網）を挙げることができる。なお、ＷｉＦｉは登録商標である。
【００１３】
基地局１１０は、通信部１１１と、測定部１１２と、切替部１１３と、を備える。通信部１１１は、移動端末１０１との間で無線通信を行うとともに、ネットワーク１３０との間で通信を行うことにより、移動端末１０１とネットワーク１３０との間の通信を中継する。基地局１１０とネットワーク１３０との間の通信は、たとえば有線通信である。
【００１４】
測定部１１２は、第１伝送経路１２１および第２伝送経路１２２のそれぞれにおける遅延量を測定する。たとえば、測定部１１２は、第１伝送経路１２１および第２伝送経路１２２のそれぞれへ測定信号を送信し、送信した測定信号に対する応答信号を受信することによって、第１伝送経路１２１および第２伝送経路１２２のそれぞれにおける遅延量を測定する。たとえば、測定部１１２は、第１伝送経路１２１および第２伝送経路１２２のそれぞれにおける遅延量の測定を周期的に行う。また、測定部１１２は、遅延量の測定結果を切替部１１３へ出力する。
【００１５】
切替部１１３は、測定部１１２から出力された測定結果を含む所定情報に基づいて、複数の通信方式のうちの、移動端末１０１とネットワーク１３０との間の通信に用いる通信方式を切り替える。
【００１６】
これにより、ネットワーク側の遅延状態を測定可能な基地局１１０の主導により、ネットワーク側の遅延量がより少ない通信方式によって移動端末１０１とネットワーク１３０との間の通信を行うことが可能になる。したがって、移動端末１０１とネットワーク１３０との間の通信の遅延を低減するとともに、ネットワーク側のトラフィックの分散を図ることができる。このため、通信の効率化を図ることができる。
【００１７】
仮に、通信方式の切替を移動端末の主導で実施する場合は、移動端末ではネットワーク側の状態等の情報を入手することができず、通信の効率化を図ることができない。これに対して、基地局１１０は、ネットワーク側の遅延状態を測定可能な基地局１１０の主導により、ネットワーク側の遅延量がより少ない通信方式を選択し、通信の効率化を図ることができる。
【００１８】
また、たとえば複数の移動端末１０１の間で使用される移動体通信網が異なる場合は、ネットワーク側の遅延状態の測定結果は、それぞれの移動端末１０１について固有の値になり得る。このため、複数の移動端末１０１における通信方式の偏在を抑止し、通信品質の向上を図ることができる。
【００１９】
仮に、各移動端末がそれぞれ無線伝搬状況に応じて通信方式を選択する場合は、互いに近い位置の各移動端末における無線伝搬状況が同じになり、各移動端末が同一の通信方式を選択して負荷が集中する場合がある。これに対して、基地局１１０によれば、それぞれの移動端末１０１について固有の値になり得る所定情報に基づいて通信方式を選択するため、複数の移動端末１０１における通信方式の偏在を抑止し、通信品質の向上を図ることができる。
【００２０】
＜通信方式の選択に用いる所定情報について＞
また、切替部１１３が通信方式の選択に用いる所定情報には、複数の通信方式のそれぞれについての移動端末１０１と基地局１１０との間の無線伝搬状況の測定結果が含まれていてもよい。これにより、複数の通信方式のうちの、移動端末１０１と基地局１１０との間の無線区間における通信品質が高い通信方式によって移動端末１０１とネットワーク１３０との間の通信を行うことが可能になる。
【００２１】
また、切替部１１３が通信方式の選択に用いる所定情報には、移動端末１０１がネットワークとの間で送受信するデータ量を示す情報が含まれていてもよい。これにより、それぞれの移動端末１０１について固有の値になり得る所定情報に基づいて通信方式を選択することができるため、複数の移動端末１０１における通信方式の偏在を抑止し、通信品質の向上を図ることができる。
【００２２】
また、切替部１１３が通信方式の選択に用いる所定情報には、移動端末１０１がネットワークとの間で送受信するデータの種別を示す情報が含まれていてもよい。これにより、それぞれの移動端末１０１について固有の値になり得る所定情報に基づいて通信方式を選択することができるため、複数の移動端末１０１における通信方式の偏在を抑止し、通信品質の向上を図ることができる。
【００２３】
また、切替部１１３が通信方式の選択に用いる所定情報には、移動端末１０１のユーザによる課金内容を示す情報が含まれていてもよい。これにより、それぞれの移動端末１０１について固有の値になり得る所定情報に基づいて通信方式を選択することができるため、複数の移動端末１０１における通信方式の偏在を抑止し、通信品質の向上を図ることができる。
【００２４】
また、切替部１１３が通信方式の選択に用いる所定情報には、複数の通信方式の、基地局１１０に接続中の各移動端末による使用状況を示す情報が含まれていてもよい。これにより、基地局１１０に接続している複数の移動端末１０１における通信方式の偏在を抑止し、通信品質の向上を図ることができる。
【００２５】
仮に、各移動端末がそれぞれ無線伝搬状況に応じて通信方式を選択する場合は、互いに近い位置の各移動端末における無線伝搬状況が同じになり、各移動端末が同一の通信方式を選択して負荷が集中する場合がある。これに対して、基地局１１０によれば、それぞれの移動端末１０１について固有の値になり得る所定情報に基づいて通信方式を選択するため、複数の移動端末１０１における通信方式の偏在を抑止し、通信品質の向上を図ることができる。
【００２６】
＜通信方式の選択について＞
たとえば、基地局１１０には、上記の所定情報の内容と、複数の通信方式のうちのいずれかの通信方式と、が対応付けられたユーザ設定可能な対応情報が記憶されている。そして、切替部１１３は、所定情報の内容と、対応情報と、に基づいて通信方式を切り替える。所定情報の内容と通信方式との対応情報がユーザ設定可能であることにより、ユーザ（たとえば基地局１１０の保守者）が通信方式の選択条件を調整することが可能になり、利便性を向上させることができる。
【００２７】
また、たとえば、基地局１１０には、上記の所定情報に含まれる複数種類の情報の優先順位を示すユーザ設定可能な優先順位情報が記憶されている。そして、切替部１１３は、優先順位情報に基づいて、所定情報の複数種類の情報のうちの優先順位が高い情報を優先的に選択し、選択した情報に基づいて通信方式を切り替える。ユーザが、通信方式の選択において優先すべき所定情報に含まれる情報の種類を調整することが可能になり、利便性を向上させることができる。
【００２８】
＜通信方式の切替について＞
たとえば、切替部１１３は、第１通信方式を選択した場合に、第２通信方式による通信を要求する移動端末１０１からの要求信号に対して自局が応答しないようにする。これにより、第１通信方式による通信を要求する要求信号の移動端末１０１による送信を促し、通信方式を第１通信方式に切り替えることができる。また、基地局１１０の選択結果に従って通信方式を切り替える機能を移動端末１０１に追加しなくても、基地局１１０の選択結果に従って移動端末１０１の通信方式を切り替えることができる。
【００２９】
また、たとえば、切替部１１３は、複数の通信方式の中から選択した通信方式への切替を指示する信号を移動端末１０１へ送信することによって通信方式を切り替えてもよい。これにより、移動端末１０１と基地局１１０との間で通信中であっても、シームレスに無線方式を切替えることができ、ユーザの利便性の向上を図ることができる。
【００３０】
また、切替部１１３は、移動端末１０１とネットワーク１３０との間の通信のうちの、基地局１１０とネットワーク１３０との間の区間における通信方式を切り替えてもよい。たとえば、通信部１１１は、第１状態および第２状態に切替可能である。
【００３１】
第１状態においては、通信部１１１は、移動端末１０１から第１通信方式により受信したデータを第１伝送経路１２１によりネットワーク１３０へ送信する。また、第１状態においては、通信部１１１は、ネットワーク１３０から第１伝送経路１２１により受信したデータを第１通信方式により移動端末１０１へ送信する。
【００３２】
第２状態においては、通信部１１１は、移動端末１０１から第１通信方式により受信したデータを第２通信方式のプロトコルに変換して第２伝送経路１２２によりネットワーク１３０へ送信する。また、第２状態においては、通信部１１１は、ネットワーク１３０から第２伝送経路１２２により受信したデータを第１通信方式のプロトコルに変換して第１通信方式により移動端末１０１へ送信する。
【００３３】
切替部１１３は、通信部１１１を第１状態または第２状態に切り替えることにより、移動端末１０１とネットワーク１３０との間の通信のうちの、基地局１１０とネットワーク１３０との間の区間における通信方式を切り替えることができる。これにより、基地局１１０の制御に従って通信方式を切り替える機能を移動端末１０１に追加しなくても、基地局１１０の制御に従って移動端末１０１の通信方式を切り替えることができる。
【００３４】
（通信システムの具体例）
図２は、通信システムの具体例を示す図である。図２に示す通信システム２００は、ＵＥ２１１〜２１６と、ＨｅＮＢ２２１〜２２３と、ブロードバンド回線２３１と、プロバイダ２３２と、インターネット網２３３と、を含む。また、通信システム２００は、遅延測定装置２３４と、モバイルネットワーク２３５と、Ｓ−ＧＷ２３６と、Ｐ−ＧＷ２３７と、ＭＭＥ２３８と、ＨｅＭＳ２３９と、を含む。
【００３５】
ＵＥ２１１〜２１６（Ｕｓｅｒ  Ｅｑｕｉｐｍｅｎｔ：ユーザ端末）のそれぞれは、たとえば携帯電話やタブレット端末などの携帯端末である。ＵＥ２１１，２１２はＨｅＮＢ２２１に接続している。ＵＥ２１３，２１４はＨｅＮＢ２２２に接続している。ＵＥ２１５，２１６はＨｅＮＢ２２３に接続している。
【００３６】
また、ＵＥ２１１〜２１６のそれぞれは、複数の通信方式による無線通信が可能である。たとえば、ＵＥ２１１〜２１６のそれぞれは、ＬＴＥとＷｉＦｉとを切り替えてＨｅＮＢ２２１〜２２３との間で通信可能である。
【００３７】
ＨｅＮＢ２２１〜２２３は、たとえば屋内等に設けられる基地局である。ＨｅＮＢ２２１〜２２３のそれぞれは、ブロードバンド回線２３１に接続されている。また、ＨｅＮＢ２２１〜２２３のそれぞれは、複数の通信方式による無線通信が可能である。たとえば、ＨｅＮＢ２２１〜２２３のそれぞれは、ＬＴＥとＷｉＦｉとを切り替えてＵＥ２１１〜２１６との間で通信可能である。
【００３８】
ブロードバンド回線２３１は、プロバイダ２３２を介してインターネット網２３３に接続されている。インターネット網２３３には遅延測定装置２３４が接続されている。遅延測定装置２３４の構成については後述する（たとえば図７−１，図７−２参照）。
【００３９】
また、ブロードバンド回線２３１は、Ｓ−ＧＷ２３６（Ｓｅｒｖｉｎｇ−Ｇａｔｅｗａｙ）を介してモバイルネットワーク２３５に接続されている。これにより、ＨｅＮＢ２２１〜２２３のそれぞれは、ブロードバンド回線２３１を介してモバイルネットワーク２３５に接続することができる。
【００４０】
モバイルネットワーク２３５は、Ｐ−ＧＷ２３７（Ｐａｃｋｅｔ  Ｄａｔａ  Ｎｅｔｗｏｒｋ−Ｇａｔｅｗａｙ）を介してインターネット網２３３に接続される移動体通信網である。また、モバイルネットワーク２３５には、ＭＭＥ２３８（Ｍｏｂｉｌｉｔｙ  Ｍａｎａｇｅｍｅｎｔ  Ｅｎｔｉｔｙ：移動性管理エンティティ）およびＨｅＭＳ２３９（ＨｅＮＢ  Ｍａｎａｇｅｍｅｎｔ  Ｓｙｓｔｅｍ）が接続されている。ＭＭＥ２３８は、たとえばＬＴＥの呼管理処理を行う。ＨｅＭＳ２３９は、ＨｅＮＢ２２１〜２２３の管理処理を行う。
【００４１】
ＵＥ２１１〜２１６がＬＴＥでインターネット網２３３に接続する場合は、たとえば、ブロードバンド回線２３１、Ｓ−ＧＷ２３６、モバイルネットワーク２３５およびＰ−ＧＷ２３７を介してインターネット網２３３に接続する。また、ＵＥ２１１〜２１６がＷｉＦｉでインターネット網２３３に接続する場合は、たとえば、モバイルネットワーク２３５を介さず、ブロードバンド回線２３１およびプロバイダ２３２を介してインターネット網２３３に接続する。
【００４２】
図１−１，図１−２に示した移動端末１０１は、たとえばＵＥ２１１〜２１６のいずれかによって実現することができる。図１−１，図１−２に示した基地局１１０は、たとえばＨｅＮＢ２２１〜２２３のいずれかによって実現することができる。図１−１，図１−２に示したネットワーク１３０は、たとえばインターネット網２３３によって実現することができる。
【００４３】
また、図１−１，図１−２に示した第１伝送経路１２１および第２伝送経路１２２の一方は、たとえばブロードバンド回線２３１、Ｓ−ＧＷ２３６、モバイルネットワーク２３５およびＰ−ＧＷ２３７を経由する伝送経路によって実現することができる。図１−１，図１−２に示した第１伝送経路１２１および第２伝送経路１２２の他方は、たとえばブロードバンド回線２３１およびプロバイダ２３２を経由する伝送経路によって実現することができる。
【００４４】
（ＨｅＮＢの構成）
図３−１は、ＨｅＮＢの構成の一例を示す図である。図２に示したＨｅＮＢ２２１〜２２３のそれぞれは、たとえば図３−１に示すＨｅＮＢ３００によって実現することができる。ＨｅＮＢ３００は、アンテナ３１１，３１２と、ＬＴＥ処理部３１３と、ＷｉＦｉ処理部３１４と、切替制御処理部３１５と、外部ＩＮＦ３１６と、を備える。
【００４５】
ＬＴＥ処理部３１３は、アンテナ３１１を介してＵＥ（たとえばＵＥ２１１〜２１６のいずれか）との間でＬＴＥによる通信を行う。ＷｉＦｉ処理部３１４は、アンテナ３１２を介してＵＥ（たとえばＵＥ２１１〜２１６）との間でＷｉＦｉによる通信を行う。
【００４６】
切替制御処理部３１５は、ブロードバンド回線２３１（たとえば図２参照）に接続されている。そして、切替制御処理部３１５は、ブロードバンド回線２３１とＬＴＥ処理部３１３との間の通信を中継する状態と、ブロードバンド回線２３１とＷｉＦｉ処理部３１４との間の通信を中継する状態と、を切り替える。これにより、通信方式をＬＴＥまたはＷｉＦｉに切り替えることができる。
【００４７】
また、切替制御処理部３１５は、たとえば、ＬＴＥにおけるネットワーク側の遅延量の測定結果と、ＷｉＦｉにおけるネットワーク側の遅延量の測定結果と、に基づいてＵＥごとの通信方式を切り替える。また、切替制御処理部３１５は、外部ＩＮＦ３１６から出力される指示信号に基づいて、通信方式の選択条件等を切り替える。切替制御処理部３１５の構成については後述する（たとえば図４参照）。外部ＩＮＦ３１６は、ＰＣ（Ｐｅｒｓｏｎａｌ  Ｃｏｍｐｕｔｅｒ）等に接続され、ＰＣ等から入力される指示信号を切替制御処理部３１５へ出力するインターフェースである。
【００４８】
図１−１，図１−２に示した通信部１１１は、たとえばアンテナ３１１，３１２、ＬＴＥ処理部３１３、ＷｉＦｉ処理部３１４および切替制御処理部３１５によって実現することができる。図１−１，図１−２に示した測定部１１２および切替部１１３は、たとえば切替制御処理部３１５によって実現することができる。
【００４９】
図３−２は、図３−１に示したＨｅＮＢの回路構成の一例を示す図である。図３−１に示したＨｅＮＢ３００は、たとえば、図３−２に示すように、ＲＦ＿ＩＣ３２１と、ＬＳＩ３２２と、ＳｏＣ３２３と、メモリ３２４と、ＣＰＵ３２５と、メモリ３２６と、ＦＰＧＡ３２７と、によって実現することができる。
【００５０】
図３−１に示したＬＴＥ処理部３１３は、たとえばＲＦ（Ｒａｄｉｏ  Ｆｒｅｑｕｅｎｃｙ：高周波）処理を行うＲＦ＿ＩＣ３２１（Ｒａｄｉｏ  Ｆｒｅｑｕｅｎｃｙ＿Ｉｎｔｅｇｒａｔｅｄ  Ｃｉｒｃｕｉｔ：高周波集積回路）、ＳｏＣ３２３（Ｓｙｓｔｅｍ−ｏｎ−ａ−Ｃｈｉｐ）およびメモリ３２４によって実現することができる。
【００５１】
図３−１に示したＷｉＦｉ処理部３１４は、たとえばＬＳＩ３２２（Ｌａｒｇｅ  Ｓｃａｌｅ  Ｉｎｔｅｇｒａｔｉｏｎ：大規模集積回路）によって実現することができる。図３−１に示した切替制御処理部３１５は、たとえばＣＰＵ３２５（Ｃｅｎｔｒａｌ  Ｐｒｏｃｅｓｓｉｎｇ  Ｕｎｉｔ：中央処理装置）およびメモリ３２６によって実現することができる。図３−１に示した外部ＩＮＦ３１６は、たとえばＦＰＧＡ３２７（Ｆｉｅｌｄ  Ｐｒｏｇｒａｍｍａｂｌｅ  Ｇａｔｅ  Ａｒｒａｙ）によって実現することができる。
【００５２】
（切替制御処理部の構成）
図４は、切替制御処理部の構成の一例を示す図である。図３−１に示した切替制御処理部３１５は、たとえば、図４に示すように、ＧＷ部４１０と、記憶部４２０と、制御部４３０と、を備える。
【００５３】
ＧＷ部４１０は、ＬＴＥ処理部３１３およびＷｉＦｉ処理部３１４（たとえば図３−１参照）と、ブロードバンド回線２３１（たとえば図２参照）と、の間の通信を中継するゲートウェイである。ＧＷ部４１０は、制御部４３０からの制御により、ＬＴＥ処理部３１３およびＷｉＦｉ処理部３１４のいずれかとブロードバンド回線２３１とを接続する。これにより、通信方式をＬＴＥまたはＷｉＦｉに切り替えることができる。
【００５４】
記憶部４２０は、外部ＩＮＦ３１６から制御部４３０を介して入力される、通信方式の選択条件を記憶する。また、記憶部４２０は、外部ＩＮＦ３１６から制御部４３０を介して入力される通信方式の選択条件の優先順位情報を記憶する。選択条件および優先順位情報については後述する（たとえば図８，図９参照）。
【００５５】
制御部４３０は、ＧＷ部４１０を介してブロードバンド回線２３１へ遅延測定信号を送信することにより、ＬＴＥにおけるネットワーク側の遅延量と、ＷｉＦｉにおけるネットワーク側の遅延量の測定結果と、の測定を行う。
【００５６】
たとえば、制御部４３０は、モバイルネットワーク２３５に接続されたＨｅＭＳ２３９のＩＰアドレスを記憶している。そして、制御部４３０は、周期的（たとえば１［秒］周期）にＨｅＭＳ２３９へ遅延測定信号を送信し、遅延測定信号の送信時刻を記憶部４２０に記憶する。そして、制御部４３０は、送信した遅延測定信号に応じてＨｅＭＳ２３９から送信された遅延測定信号を受信し、受信時刻を記憶部４２０に記憶する。
【００５７】
また、制御部４３０は、受信した遅延測定信号に格納されたＨｅＭＳ２３９の受信時刻および送信時刻を記憶部４２０に記憶する。そして、制御部４３０は、記憶部４２０に記憶した各送信時刻および受信時刻に基づいて、ＬＴＥにおける遅延量を算出することができる。たとえば、制御部４３０は、制御部４３０の送信時刻とＨｅＭＳ２３９の受信時刻の差と、ＨｅＭＳ２３９の送信時刻と制御部４３０の受信時刻の差と、の和を算出することにより、ＬＴＥにおける遅延量を算出することができる。
【００５８】
また、制御部４３０は、インターネット網２３３に接続された遅延測定装置２３４のＩＰアドレスを記憶している。そして、制御部４３０は、プロバイダ２３２を介して、周期的（たとえば１［秒］周期）に遅延測定装置２３４へ遅延測定信号を送信し、遅延測定信号の送信時刻を記憶部４２０に記憶する。そして、制御部４３０は、送信した遅延測定信号に応じてプロバイダ２３２を介して遅延測定装置２３４から送信された遅延測定信号を受信し、受信時刻を記憶部４２０に記憶する。
【００５９】
また、制御部４３０は、受信した遅延測定信号に格納された遅延測定装置２３４の受信時刻および送信時刻を記憶部４２０に記憶する。そして、制御部４３０は、記憶部４２０に記憶した各送信時刻および受信時刻に基づいて、ＷｉＦｉにおける遅延量を算出することができる。たとえば、制御部４３０は、制御部４３０の送信時刻と遅延測定装置２３４の受信時刻の差と、遅延測定装置２３４の送信時刻と制御部４３０の受信時刻の差と、の和を算出することにより、ＷｉＦｉにおける遅延量を算出することができる。
【００６０】
また、制御部４３０は、ＬＴＥおよびＷｉＦｉにおけるネットワーク側の遅延量の測定結果等や、記憶部４２０に記憶された状態情報および優先順位情報等に基づいて、ＨｅＮＢ３００と無線通信を行う各ＵＥの通信方式の切替制御を行う。通信方式の切替制御については後述する（たとえば図８〜図１１参照）。
【００６１】
（ＵＥの構成）
図５−１は、ＵＥの構成の一例を示す図である。図２に示したＵＥ２１１〜２１６のそれぞれは、たとえば、図５−１に示すＵＥ５００によって実現することができる。ＵＥ５００は、アンテナ５１１，５１２と、ＬＴＥ処理部５１３と、ＷｉＦｉ処理部５１４と、を備える。
【００６２】
ＬＴＥ処理部５１３は、アンテナ５１１を介してＨｅＮＢ（たとえばＨｅＮＢ２２１〜２２３のいずれか）との間でＬＴＥによる無線通信を行う。ＷｉＦｉ処理部５１４は、アンテナ５１２を介してＨｅＮＢ（たとえばＨｅＮＢ２２１〜２２３のいずれか）との間でＷｉＦｉによる無線通信を行う。ＬＴＥ処理部５１３およびＷｉＦｉ処理部５１４は、たとえば互いに独立して動作する。
【００６３】
図５−２は、図５−１に示したＵＥの回路構成の一例を示す図である。図５−１に示したＵＥ５００は、たとえば、図５−２に示すように、ＬＳＩ５２１と、ＳｏＣ５２２と、メモリ５２３と、によって実現することができる。図５−１に示したＬＴＥ処理部５１３は、たとえばＬＳＩ５２１によって実現することができる。図５−１に示したＬＴＥ処理部５１３は、たとえばＳｏＣ５２２およびメモリ５２３によって実現することができる。
【００６４】
（ＨｅＭＳの構成）
図６−１は、ＨｅＭＳの構成の一例を示す図である。図２に示したＨｅＭＳ２３９は、たとえば、図６−１に示すように、ＨｅＮＢ管理処理部６１１と、時刻情報取得部６１２と、遅延処理部６１３と、を備える。
【００６５】
ＨｅＮＢ管理処理部６１１は、モバイルネットワーク２３５を介してＨｅＮＢ２２１〜２２３との間で通信を行うことにより、ＨｅＮＢ２２１〜２２３の障害管理、ネットワーク機器の構成管理、性能管理、セキュリティ管理などの処理を行う。時刻情報取得部６１２は、現在時刻を取得する。
【００６６】
遅延処理部６１３は、ＨｅＮＢ管理処理部６１１を介してＨｅＮＢ２２１〜２２３からの上りの遅延測定信号を受信すると、下りの遅延測定信号を、ＨｅＮＢ管理処理部６１１を介してＨｅＮＢ２２１〜２２３へ返送する。このとき、遅延処理部６１３は、時刻情報取得部６１２によって取得される現在時刻に基づいて、返送する下りの遅延測定信号に、上りの遅延測定信号の受信時刻と、下りの遅延測定信号の送信時刻と、を格納する。
【００６７】
図６−２は、図６−１に示したＨｅＭＳの回路構成の一例を示す図である。図６−１に示したＨｅＭＳ２３９は、たとえば、図６−２に示すように、ネットワークＣＰＵ６２１と、メモリ６２２と、ＣＰＵ６２３と、メモリ６２４と、によって実現することができる。図６−１に示したＨｅＮＢ管理処理部６１１は、たとえばネットワークＣＰＵ６２１およびメモリ６２２によって実現することができる。図６−１に示した時刻情報取得部６１２は、たとえばＣＰＵ６２３およびメモリ６２４によって実現することができる。図６−１に示した遅延処理部６１３は、たとえばＣＰＵ６２３およびメモリ６２４によって実現することができる。
【００６８】
（遅延測定装置の構成）
図７−１は、遅延測定装置の構成の一例を示す図である。図２に示した遅延測定装置２３４は、図７−１に示すように、たとえば、ＩＰ送受信処理部７１２と、時刻情報取得部７１１と、を備える。時刻情報取得部７１１は、現在時刻を取得する。
【００６９】
ＩＰ送受信処理部７１２は、プロバイダ２３２およびインターネット網２３３を介してＨｅＮＢ２２１〜２２３との間で通信を行う。また、ＩＰ送受信処理部７１２は、ＨｅＮＢ２２１〜２２３からの上りの遅延測定信号を受信すると、下りの遅延測定信号をＨｅＮＢ２２１〜２２３へ返送する。このとき、ＩＰ送受信処理部７１２は、時刻情報取得部７１１によって取得される現在時刻に基づいて、返送する下りの遅延測定信号に、上りの遅延測定信号の受信時刻と、下りの遅延測定信号の送信時刻と、を格納する。
【００７０】
図７−２は、図７−１に示した遅延測定装置の回路構成の一例を示す図である。図７−１に示した遅延測定装置２３４は、たとえば、図７−２に示すように、ネットワークＣＰＵ７２１と、メモリ７２２と、によって実現することができる。図７−１に示した時刻情報取得部７１１は、たとえばネットワークＣＰＵ７２１およびメモリ７２２によって実現することができる。図７−１に示したＩＰ送受信処理部７１２は、たとえばネットワークＣＰＵ７２１およびメモリ７２２によって実現することができる。
【００７１】
（通信方式の選択条件テーブル）
図８は、通信方式の選択条件テーブルの一例を示す図である。ＨｅＮＢ３００の記憶部４２０（たとえば図４参照）には、たとえば図８に示す選択条件テーブル８００が記憶される。各家庭に設置されたＨｅＮＢ２２１〜２２３の選択条件テーブル８００は、たとえば、外部ＩＮＦ３１６（たとえば図３−１参照）を介して保守者により設定される。また、選択条件テーブル８００には保守者の設定前にデフォルト値が設定されていてもよい。
【００７２】
選択条件テーブル８００は、『選択項目』ごとに『通信方式』を対応付けた対応情報である。『選択項目』は、通信方式を選択するための条件を示している。『通信方式』は、『選択項目』が示す条件を満たした場合に選択すべき通信方式を示している。図８に示す例では、『通信方式』はＬＴＥまたはＷｉＦｉを示している。
【００７３】
「サービス」は、ＵＥがネットワーク（たとえばインターネット網２３３）との間で送受信するデータの種別を示す情報である。「サービス」は、たとえば、ＨｅＮＢ３００が中継するデータに基づいて判定することができる。
【００７４】
「無線伝搬状況」は、ＬＴＥおよびＷｉＦｉのそれぞれについてのＵＥとＨｅＮＢ３００との間の無線伝搬状況（無線品質）の測定結果である。「無線伝搬状況」は、たとえば、ＵＥにより測定されてＨｅＮＢ３００へ通知されるＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）等に基づいて判定することができる。
【００７５】
「データ量」は、ＵＥがネットワーク（たとえばインターネット網２３３）との間で送受信するデータ量を示す情報である。「データ量」は、ＵＥがネットワークとの間で送受信するデータの量を示す。「データ量」は、たとえば、ＨｅＮＢ３００が中継するデータに基づいて判定することができる。
【００７６】
「ＮＷ品質」は、ＨｅＮＢ３００において測定される、ＬＴＥおよびＷｉＦｉのそれぞれにおけるネットワーク側の通信品質を示す。「ＮＷ品質」は、たとえば、制御部４３０によってＨｅＭＳ２３９および遅延測定装置２３４へ遅延測定信号を送信することによって判定することができる。「料金プラン」は、ＵＥのユーザが業者と契約している料金プランを示す。「料金プラン」は、たとえばあらかじめＨｅＮＢ３００の記憶部４２０にＵＥごとに記憶されている。
【００７７】
たとえば、ＨｅＮＢ３００の外部ＩＮＦ３１６にＰＣを接続すると、ＰＣに図８に示す選択条件テーブル８００が表示される。ユーザは、選択条件テーブル８００の通信方式の「ＬＴＥ」または「ＷｉＦｉ」のいずれに「○」をつけるかによって、通信方式の選択条件を調整することができる。
【００７８】
たとえば、「サービス１（データ転送）」では、データ量が多いので、「ＬＴＥ」を選択することにより通信が早く終わるように設定することができる。また、「料金プラン２（モバイル：定額制、プロバイダ：従量課金）」では、動画などをダウンロードする場合に、「ＬＴＥ」を選択することにより定額制を適用して料金を安くすることができる。
【００７９】
（優先順位情報）
図９は、優先順位情報の一例を示す図である。ＨｅＮＢ３００の記憶部４２０（たとえば図４参照）には、たとえば図９に示す優先順位情報９００が記憶される。各家庭に設置されたＨｅＮＢ２２１〜２２３の優先順位情報９００は、たとえば外部ＩＮＦ３１６（たとえば図３−１参照）を介して保守者によって設定される。また、優先順位情報９００には保守者の設定前にデフォルト値が設定されていてもよい。
【００８０】
優先順位情報９００においては、『選択項目グループ』ごとに『優先順位』が対応付けられている。『選択項目グループ』は、通信方式を選択するための条件のグループを示している。図８に示した選択条件テーブル８００の『選択項目』のそれぞれは、図９に示す優先順位情報９００の『選択項目グループ』が示すグループのいずれかに属している。
【００８１】
たとえば、選択条件テーブル８００の「サービス１（データ転送）」、「サービス２（メールサービス）」、「サービス３（メールサービス）」、「サービス４（ＶｏＬＴＥ）」は、優先順位情報９００の「サービス（優先呼以外）」に属している。また、選択条件テーブル８００の「サービス５（優先呼）」は、優先順位情報９００の「サービス（優先呼）」に属している。
【００８２】
また、たとえばＨｅＮＢ２２１に記憶される選択条件テーブル８００および優先順位情報９００は、ＨｅＮＢ２２１に接続可能なＵＥが複数ある場合は、ＨｅＮＢ２２１に接続可能なＵＥごとに記憶されてもよい。ＨｅＮＢ２２２，２２３に記憶される選択条件テーブル８００および優先順位情報９００についても同様に、たとえば、接続可能なＵＥごとに記憶されてもよい。
【００８３】
『優先順位』は、『選択項目グループ』が示す各グループにおける、通信方式の選択において優先すべき順位を示す。ＨｅＮＢ３００の制御部４３０（たとえば図４参照）は、『選択項目グループ』が示す各グループのうちの『優先順位』の高いグループを優先的に判断することによって通信方式を選択する。
【００８４】
（ＨｅＮＢの選択処理）
図１０−１および図１０−２は、ＨｅＮＢの選択処理の一例を示すフローチャートである。ＨｅＮＢ３００の制御部４３０（たとえば図４参照）は、自局と無線通信を行う各ＵＥを対象として、たとえば図１０−１，図１０−２に示す各ステップを実行することによって通信方式を選択する。図１０−１，図１０−２においては、ＨｅＮＢ３００の記憶部４２０に、図８に示した選択条件テーブル８００および図９に示した優先順位情報９００が設定されている場合について説明する。
【００８５】
＜優先呼か否かに基づく通信品質の選択＞
まず、図１０−１に示すように、制御部４３０は、対象ＵＥの信号が優先呼でありかつＬＴＥの帯域の空きがあるか否かを判断する（ステップＳ１００１）。ＬＴＥの帯域の空きがあるか否かは、たとえばＨｅＮＢ３００とＬＴＥによる無線通信を行っているＵＥの数が所定数を超えているか否かによって判断することができる。
【００８６】
ステップＳ１００１において、対象ＵＥの信号が優先呼でありかつＬＴＥの帯域の空きがある場合（ステップＳ１００１：Ｙｅｓ）は、制御部４３０は、対象ＵＥの通信方式としてＬＴＥを選択し（ステップＳ１００２）、一連の選択処理を終了する。対象ＵＥの信号が優先呼でなく、またはＬＴＥの帯域の空きがない場合（ステップＳ１００１：Ｎｏ）は、制御部４３０は、ステップＳ１００３へ移行する。
【００８７】
＜料金プランに基づく通信品質の選択＞
つぎに、制御部４３０は、対象ＵＥの料金プランが「料金プラン１」でありかつＷｉＦｉの帯域の空きがあるか否かを判断する（ステップＳ１００３）。対象ＵＥの料金プランは、たとえば対象ＵＥから送信される情報に基づいて判定することができる。ＷｉＦｉの帯域の空きがあるか否かは、たとえばＨｅＮＢ３００とＷｉＦｉによる無線通信を行っているＵＥの数が所定数を超えているか否かによって判断することができる。
【００８８】
ステップＳ１００３において、対象ＵＥの料金プランが「料金プラン１」でありかつＷｉＦｉの帯域の空きがある場合（ステップＳ１００３：Ｙｅｓ）は、制御部４３０は、対象ＵＥの通信方式としてＷｉＦｉを選択し（ステップＳ１００４）、一連の選択処理を終了する。対象ＵＥの料金プランが「料金プラン１」でなく、またはＷｉＦｉの帯域の空きがない場合（ステップＳ１００３：Ｎｏ）は、制御部４３０は、ステップＳ１００５へ移行する。
【００８９】
つぎに、制御部４３０は、対象ＵＥの料金プランが「料金プラン２」でありかつＬＴＥの帯域の空きがあるか否かを判断する（ステップＳ１００５）。対象ＵＥの料金プランが「料金プラン２」でありかつＬＴＥの帯域の空きがある場合（ステップＳ１００５：Ｙｅｓ）は、制御部４３０は、対象ＵＥの通信方式としてＬＴＥを選択し（ステップＳ１００６）、一連の選択処理を終了する。対象ＵＥの料金プランが「料金プラン２」でなく、またはＬＴＥの帯域の空きがない場合（ステップＳ１００５：Ｎｏ）は、制御部４３０は、ステップＳ１００７へ移行する。
【００９０】
つぎに、制御部４３０は、対象ＵＥの料金プランが「料金プラン３」でありかつＷｉＦｉの帯域の空きがあるか否かを判断する（ステップＳ１００７）。対象ＵＥの料金プランが「料金プラン３」でありかつＷｉＦｉの帯域の空きがある場合（ステップＳ１００７：Ｙｅｓ）は、制御部４３０は、対象ＵＥの通信方式としてＷｉＦｉを選択し（ステップＳ１００８）、一連の選択処理を終了する。対象ＵＥの料金プランが「料金プラン３」でなく、またはＷｉＦｉの帯域の空きがない場合（ステップＳ１００７：Ｎｏ）は、制御部４３０は、ステップＳ１００９へ移行する。
【００９１】
つぎに、制御部４３０は、対象ＵＥの料金プランが「料金プラン４」でありかつＬＴＥの帯域の空きがあるか否かを判断する（ステップＳ１００９）。対象ＵＥの料金プランが「料金プラン４」でありかつＬＴＥの帯域の空きがある場合（ステップＳ１００９：Ｙｅｓ）は、制御部４３０は、対象ＵＥの通信方式としてＬＴＥを選択し（ステップＳ１０１０）、一連の選択処理を終了する。対象ＵＥの料金プランが「料金プラン４」でなく、またはＬＴＥの帯域の空きがない場合（ステップＳ１００９：Ｎｏ）は、制御部４３０は、ステップＳ１０１１へ移行する。
【００９２】
ステップＳ１００３〜Ｓ１０１０により、たとえば、対象ＵＥのＬＴＥ（モバイル）の料金プランが定額制である場合は、対象ＵＥの通信方式としてＬＴＥを優先的に選択することができる。また、対象ＵＥのＬＴＥ（モバイル）の料金プランが従量課金である場合は、対象ＵＥの通信方式としてＷｉＦｉを優先的に選択することができる。
【００９３】
＜対象ＵＥとの間の無線伝搬環境に基づく通信品質の選択＞
つぎに、制御部４３０は、対象ＵＥとの間の無線伝搬環境が「無線伝搬環境１」でありかつＷｉＦｉの帯域の空きがあるか否かを判断する（ステップＳ１０１１）。対象ＵＥとの間の無線伝搬環境が「無線伝搬環境１」でありかつＷｉＦｉの帯域の空きがある場合（ステップＳ１０１１：Ｙｅｓ）は、制御部４３０は、対象ＵＥの通信方式としてＷｉＦｉを選択し（ステップＳ１０１２）、一連の選択処理を終了する。対象ＵＥとの間の無線伝搬環境が「無線伝搬環境１」でなく、またはＷｉＦｉの帯域の空きがない場合（ステップＳ１０１１：Ｎｏ）は、制御部４３０は、ステップＳ１０１３へ移行する。
【００９４】
つぎに、制御部４３０は、対象ＵＥとの間の無線伝搬環境が「無線伝搬環境２」でありかつＬＴＥの帯域の空きがあるか否かを判断する（ステップＳ１０１３）。対象ＵＥとの間の無線伝搬環境が「無線伝搬環境２」でありかつＬＴＥの帯域の空きがある場合（ステップＳ１０１３：Ｙｅｓ）は、制御部４３０は、対象ＵＥの通信方式としてＬＴＥを選択し（ステップＳ１０１４）、一連の選択処理を終了する。対象ＵＥとの間の無線伝搬環境が「無線伝搬環境２」でなく、またはＬＴＥの帯域の空きがない場合（ステップＳ１０１３：Ｎｏ）は、制御部４３０は、ステップＳ１０１５へ移行する。
【００９５】
つぎに、制御部４３０は、対象ＵＥとの間の無線伝搬環境が「無線伝搬環境３」でありかつＷｉＦｉの帯域の空きがあるか否かを判断する（ステップＳ１０１５）。対象ＵＥとの間の無線伝搬環境が「無線伝搬環境３」でありかつＷｉＦｉの帯域の空きがある場合（ステップＳ１０１５：Ｙｅｓ）は、制御部４３０は、対象ＵＥの通信方式としてＷｉＦｉを選択し（ステップＳ１０１６）、一連の選択処理を終了する。対象ＵＥとの間の無線伝搬環境が「無線伝搬環境３」でなく、またはＷｉＦｉの帯域の空きがない場合（ステップＳ１０１５：Ｎｏ）は、制御部４３０は、ステップＳ１０１７へ移行する。
【００９６】
つぎに、制御部４３０は、対象ＵＥとの間の無線伝搬環境が「無線伝搬環境４」でありかつＬＴＥの帯域の空きがあるか否かを判断する（ステップＳ１０１７）。対象ＵＥとの間の無線伝搬環境が「無線伝搬環境４」でありかつＬＴＥの帯域の空きがある場合（ステップＳ１０１７：Ｙｅｓ）は、制御部４３０は、対象ＵＥの通信方式としてＬＴＥを選択し（ステップＳ１０１８）、一連の選択処理を終了する。対象ＵＥとの間の無線伝搬環境が「無線伝搬環境４」でなく、またはＬＴＥの帯域の空きがない場合（ステップＳ１０１７：Ｎｏ）は、制御部４３０は、図１０−２に示すステップＳ１０１９へ移行する。
【００９７】
ステップＳ１０１１〜Ｓ１０１８により、たとえば、対象ＵＥのＷｉＦｉにおける無線伝搬環境がよい場合は、対象ＵＥの通信方式としてＷｉＦｉを優先的に選択することができる。また、対象ＵＥのＷｉＦｉにおける無線伝搬環境が悪い場合は、対象ＵＥの通信方式としてＬＴＥを優先的に選択することができる。
【００９８】
＜ネットワーク品質に基づく通信品質の選択＞
つぎに、図１０−２に示すように、制御部４３０は、ネットワーク品質が「ＮＷ品質１」でありかつＷｉＦｉの帯域の空きがあるか否かを判断する（ステップＳ１０１９）。ネットワーク品質が「ＮＷ品質１」でありかつＷｉＦｉの帯域の空きがある場合（ステップＳ１０１９：Ｙｅｓ）は、制御部４３０は、対象ＵＥの通信方式としてＷｉＦｉを選択し（ステップＳ１０２０）、一連の選択処理を終了する。ネットワーク品質が「ＮＷ品質１」でなく、またはＷｉＦｉの帯域の空きがない場合（ステップＳ１０１９：Ｎｏ）は、制御部４３０は、ステップＳ１０２１へ移行する。
【００９９】
つぎに、制御部４３０は、ネットワーク品質が「ＮＷ品質２」でありかつＬＴＥの帯域の空きがあるか否かを判断する（ステップＳ１０２１）。ネットワーク品質が「ＮＷ品質２」でありかつＬＴＥの帯域の空きがある場合（ステップＳ１０２１：Ｙｅｓ）は、制御部４３０は、対象ＵＥの通信方式としてＬＴＥを選択し（ステップＳ１０２２）、一連の選択処理を終了する。ネットワーク品質が「ＮＷ品質２」でなく、またはＬＴＥの帯域の空きがない場合（ステップＳ１０２１：Ｎｏ）は、制御部４３０は、ステップＳ１０２３へ移行する。
【０１００】
つぎに、制御部４３０は、ネットワーク品質が「ＮＷ品質３」でありかつＷｉＦｉの帯域の空きがあるか否かを判断する（ステップＳ１０２３）。ネットワーク品質が「ＮＷ品質３」でありかつＷｉＦｉの帯域の空きがある場合（ステップＳ１０２３：Ｙｅｓ）は、制御部４３０は、対象ＵＥの通信方式としてＷｉＦｉを選択し（ステップＳ１０２４）、一連の選択処理を終了する。ネットワーク品質が「ＮＷ品質３」でなく、またはＷｉＦｉの帯域の空きがない場合（ステップＳ１０２３：Ｎｏ）は、制御部４３０は、ステップＳ１０２５へ移行する。
【０１０１】
つぎに、制御部４３０は、ネットワーク品質が「ＮＷ品質４」でありかつＬＴＥの帯域の空きがあるか否かを判断する（ステップＳ１０２５）。ネットワーク品質が「ＮＷ品質４」でありかつＬＴＥの帯域の空きがある場合（ステップＳ１０２５：Ｙｅｓ）は、制御部４３０は、対象ＵＥの通信方式としてＬＴＥを選択し（ステップＳ１０２６）、一連の選択処理を終了する。ネットワーク品質が「ＮＷ品質４」でなく、またはＬＴＥの帯域の空きがない場合（ステップＳ１０２５：Ｎｏ）は、制御部４３０は、ステップＳ１０２７へ移行する。
【０１０２】
ステップＳ１０１９〜Ｓ１０２６により、たとえば、対象ＵＥのＬＴＥ（モバイル）の遅延が小さい場合は、対象ＵＥの通信方式としてＬＴＥを優先的に選択することができる。また、対象ＵＥのＬＴＥの遅延が大きい場合は、対象ＵＥの通信方式としてＷｉＦｉを優先的に選択することができる。
【０１０３】
＜信号のサービスに基づく通信品質の選択＞
つぎに、制御部４３０は、信号のサービスが「サービス１」（データ転送）でありかつＬＴＥの帯域の空きがあるか否かを判断する（ステップＳ１０２７）。信号のサービスが「サービス１」でありかつＬＴＥの帯域の空きがある場合（ステップＳ１０２７：Ｙｅｓ）は、制御部４３０は、対象ＵＥの通信方式としてＬＴＥを選択し（ステップＳ１０２８）、一連の選択処理を終了する。信号のサービスが「サービス１」でなく、またはＬＴＥの帯域の空きがない場合（ステップＳ１０２７：Ｎｏ）は、制御部４３０は、ステップＳ１０２９へ移行する。
【０１０４】
つぎに、制御部４３０は、信号のサービスが「サービス２」（キャリアメール）でありかつＬＴＥの帯域の空きがあるか否かを判断する（ステップＳ１０２９）。信号のサービスが「サービス２」でありかつＬＴＥの帯域の空きがある場合（ステップＳ１０２９：Ｙｅｓ）は、制御部４３０は、対象ＵＥの通信方式としてＬＴＥを選択し（ステップＳ１０３０）、一連の選択処理を終了する。信号のサービスが「サービス２」でなく、またはＬＴＥの帯域の空きがない場合（ステップＳ１０２９：Ｎｏ）は、制御部４３０は、ステップＳ１０３１へ移行する。
【０１０５】
つぎに、制御部４３０は、信号のサービスが「サービス３」（プロバイダメール）でありかつＷｉＦｉの帯域の空きがあるか否かを判断する（ステップＳ１０３１）。信号のサービスが「サービス３」でありかつＷｉＦｉの帯域の空きがある場合（ステップＳ１０３１：Ｙｅｓ）は、制御部４３０は、対象ＵＥの通信方式としてＷｉＦｉを選択し（ステップＳ１０３２）、一連の選択処理を終了する。信号のサービスが「サービス３」でなく、またはＷｉＦｉの帯域の空きがない場合（ステップＳ１０３１：Ｎｏ）は、制御部４３０は、ステップＳ１０３３へ移行する。
【０１０６】
つぎに、制御部４３０は、信号のサービスが「サービス４」（ＶｏＬＴＥ）でありかつＬＴＥの帯域の空きがあるか否かを判断する（ステップＳ１０３３）。信号のサービスが「サービス４」でありかつＬＴＥの帯域の空きがある場合（ステップＳ１０３３：Ｙｅｓ）は、制御部４３０は、対象ＵＥの通信方式としてＬＴＥを選択し（ステップＳ１０３４）、一連の選択処理を終了する。信号のサービスが「サービス４」でなく、またはＬＴＥの帯域の空きがない場合（ステップＳ１０３３：Ｎｏ）は、制御部４３０は、ステップＳ１０３５へ移行する。
【０１０７】
ステップＳ１０２７〜Ｓ１０３４により、たとえば、対象ＵＥの信号のサービスが、データ転送、キャリア固有のメールサービスまたはＶｏＬＴＥである場合は、対象ＵＥの通信方式としてＬＴＥを優先的に選択することができる。また、対象ＵＥの信号のサービスがプロバイダ固有のメールサービスである場合は、対象ＵＥの通信方式としてＷｉＦｉを優先的に選択することができる。
【０１０８】
＜対象ＵＥが送受信するデータ量に基づく通信品質の選択＞
つぎに、制御部４３０は、対象ＵＥが送受信するデータ量が「大」でありかつＬＴＥの帯域の空きがあるか否かを判断する（ステップＳ１０３５）。データ量が「大」でありかつＬＴＥの帯域の空きがある場合（ステップＳ１０３５：Ｙｅｓ）は、制御部４３０は、対象ＵＥの通信方式としてＬＴＥを選択し（ステップＳ１０３６）、一連の選択処理を終了する。データ量が「大」でなく、またはＬＴＥの帯域の空きがない場合（ステップＳ１０３５：Ｎｏ）は、制御部４３０は、ステップＳ１０３７へ移行する。
【０１０９】
つぎに、制御部４３０は、対象ＵＥが送受信するデータ量が「中」でありかつＷｉＦｉの帯域の空きがあるか否かを判断する（ステップＳ１０３７）。データ量が「中」でありかつＷｉＦｉの帯域の空きがある場合（ステップＳ１０３７：Ｙｅｓ）は、制御部４３０は、対象ＵＥの通信方式としてＷｉＦｉを選択し（ステップＳ１０３８）、一連の選択処理を終了する。データ量が「中」でなく、またはＷｉＦｉの帯域の空きがない場合（ステップＳ１０３７：Ｎｏ）は、制御部４３０は、ステップＳ１０３９へ移行する。
【０１１０】
つぎに、制御部４３０は、対象ＵＥが送受信するデータ量が「小」でありかつＷｉＦｉの帯域の空きがあるか否かを判断する（ステップＳ１０３９）。データ量が「小」でありかつＷｉＦｉの帯域の空きがある場合（ステップＳ１０３９：Ｙｅｓ）は、制御部４３０は、対象ＵＥの通信方式としてＷｉＦｉを選択し（ステップＳ１０４０）、一連の選択処理を終了する。
【０１１１】
ステップＳ１０３９において、データ量が「小」でなく、またはＷｉＦｉの帯域の空きがない場合（ステップＳ１０３９：Ｎｏ）は、制御部４３０は、対象ＵＥの通信方式の選択を保留し、一連の選択処理を終了する。この場合は、たとえば、制御部４３０は、他のＵＥについての選択処理を行った後に、通信方式の選択を保留したＵＥについての選択処理を再度行う。
【０１１２】
ステップＳ１０３５〜Ｓ１０４０により、たとえば、対象ＵＥが送受信するデータ量が大きい場合は対象ＵＥの通信方式としてＬＴＥを優先的に選択することができる。また、対象ＵＥが送受信するデータ量が大きくない場合は、対象ＵＥの通信方式としてＷｉＦｉを優先的に選択することができる。
【０１１３】
（各ＵＥの通信方式の切替）
図１１は、各ＵＥの通信方式の切替の一例を示す図である。図１１において、横軸は時間の経過を示している。図１１に示すように、ＵＥ２１１〜２１６のそれぞれは、ＨｅＮＢ２２１〜２２３のうちの自局が接続しているＨｅＮＢからの制御に従って、状況の変化に応じて通信方式を切り替えながら無線通信を行う。
【０１１４】
たとえば、時刻Ｔ１において、プロバイダ２３２におけるトラフィックの増大等により、ＷｉＦｉ（プロバイダ）のネットワーク品質が悪化したとする（ＷｉＦｉ＿ＮＷ品質悪化）。この場合に、時刻Ｔ１においてＷｉＦｉによる通信を行っていたＵＥ２１１は、つぎの周期においてはＬＴＥによる通信に切り替える。
【０１１５】
また、時刻Ｔ２において、モバイルネットワーク２３５におけるトラフィックの増大等により、ＬＴＥ（モバイル）のネットワーク品質が悪化したとする（ＬＴＥ＿ＮＷ品質悪化）。この場合に、時刻Ｔ２においてＷｉＦｉによる通信を行っていたＵＥ２１２は、つぎの周期においてはＬＴＥによる通信に切り替える。
【０１１６】
一方、ＵＥ２１６が接続しているＨｅＮＢ２２１〜２２３においては、優先順位情報９００において『データ量』の優先順位が『ＮＷ品質』の優先順位より高く設定されており、ＵＥ２１６が送受信するデータ量が大きかったとする。この場合は、ＵＥ２１６は、ＬＴＥ（モバイル）のネットワーク品質が悪化しても、ＬＴＥによる通信を継続する。
【０１１７】
また、時刻Ｔ３において、ＵＥ２１１とＨｅＮＢ２２１との間のＷｉＦｉの無線伝搬環境が悪化したとする（伝搬環境悪化）。この場合は、時刻Ｔ３においてＷｉＦｉによる通信を行っていたＵＥ２１１は、つぎの周期においてはＬＴＥによる通信に切り替える。
【０１１８】
（通信システムにおけるＨｅＮＢの設定動作）
図１２は、通信システムにおけるＨｅＮＢの設定動作の一例を示すシーケンス図である。まず、ＨｅＮＢ３００の保守者が、ＰＣ１２１０から外部ＩＮＦ３１６（たとえば図３−１参照）を介して、ＨｅＮＢ３００の切替制御処理部３１５に対して切替論理設定を行う（ステップＳ１２０１）。ステップＳ１２０１により、切替制御処理部３１５の記憶部４２０の選択条件テーブル８００（たとえば図８参照）が設定される。
【０１１９】
つぎに、ＨｅＮＢ３００の保守者が、ＰＣ１２１０から外部ＩＮＦ３１６を介して、ＨｅＮＢ３００の切替制御処理部３１５に対して優先順位設定を行う（ステップＳ１２０２）。ステップＳ１２０２により、切替制御処理部３１５の記憶部４２０の優先順位情報９００（たとえば図９参照）が設定される。
【０１２０】
（通信システムにおけるネットワーク品質および無線伝搬状況の取得処理）
図１３は、通信システムにおけるネットワーク品質および無線伝搬状況の取得処理の一例を示すシーケンス図である。まず、ＨｅＮＢ３００の切替制御処理部３１５が、遅延測定信号をＨｅＭＳ２３９へ送信する（ステップＳ１３０１）。つぎに、ＨｅＭＳ２３９が、受信時刻および送信時刻を格納した遅延測定信号をＨｅＮＢ３００へ送信する（ステップＳ１３０２）。これにより、ＨｅＮＢ３００の切替制御処理部３１５が、ＬＴＥの伝送経路における遅延時間（ネットワーク品質）を把握することができる。
【０１２１】
つぎに、ＨｅＮＢ３００の切替制御処理部３１５が、遅延測定信号を遅延測定装置２３４へ送信する（ステップＳ１３０３）。つぎに、遅延測定装置２３４が、受信時刻および送信時刻を格納した遅延測定信号をＨｅＮＢ３００へ送信する（ステップＳ１３０４）。これにより、ＨｅＮＢ３００の切替制御処理部３１５が、ＷｉＦｉの伝送経路における遅延時間（ネットワーク品質）を把握することができる。
【０１２２】
また、ＨｅＮＢ３００のＷｉＦｉ処理部３１４が、周辺のＷｉＦｉ状況を測定する（ステップＳ１３０５）。たとえば、ＷｉＦｉ処理部３１４は、ＷｉＦｉにおいて使用される各周波数帯域の受信強度を測定する。つぎに、ＷｉＦｉ処理部３１４が、ステップＳ１３０５による測定結果に基づくＷｉＦｉの干渉状況を把握して切替制御処理部３１５へ通知する（ステップＳ１３０６）。つぎに、切替制御処理部３１５が、ステップＳ１３０６による通知に基づいて、ＷｉＦｉの無線伝搬状況を把握する（ステップＳ１３０７）。
【０１２３】
また、ＵＥ２１１が、ＨｅＮＢ３００に対してＬＴＥ信号を送信する（ステップＳ１３０８）。ステップＳ１３０８において送信されるＬＴＥ信号は、たとえば所定パターンのプリアンブル信号である。つぎに、ＨｅＮＢ３００のＬＴＥ処理部３１３が、ステップＳ１３０８によって送信されたＬＴＥ信号の受信レベルに基づいてＬＴＥの干渉状況を把握して切替制御処理部３１５へ通知する（ステップＳ１３０９）。つぎに、切替制御処理部３１５が、ステップＳ１３０９による通知に基づいて、ＬＴＥの無線伝搬状況を把握する（ステップＳ１３１０）。
【０１２４】
通信システム２００においては、図１３に示した取得処理が周期的に行われるとともに、たとえば以下に示す通信動作が行われる。
【０１２５】
（通信システムにおける通信時の動作例１）
図１４−１は、通信システムにおける通信時の動作例１を示すシーケンス図（その１）である。まず、ＨｅＮＢ３００の切替制御処理部３１５は、図１３によって把握したネットワーク品質および無線伝搬状況等に基づいて、ＵＥ２１１の通信方式をＬＴＥに決定したとする（ステップＳ１４１１）。切替制御処理部３１５は、ステップＳ１４１１による決定結果をＬＴＥ処理部３１３へ通知する。これにより、ＵＥ２１１およびＨｅＮＢ３００によるＬＴＥによる通信（ステップＳ１４１２）が開始される。
【０１２６】
ステップＳ１４１２において、ＨｅＮＢ３００の切替制御処理部３１５は、モバイルネットワーク２３５からの下りデータをＬＴＥ処理部３１３へ出力する。ＬＴＥ処理部３１３は、切替制御処理部３１５から出力された下りデータをＵＥ２１１へＬＴＥにより無線送信する。また、ＬＴＥ処理部３１３は、ＵＥ２１１からＬＴＥにより無線送信された上りデータを受信して切替制御処理部３１５へ出力する。切替制御処理部３１５は、ＬＴＥ処理部３１３から出力された上りデータをモバイルネットワーク２３５へ送信する。
【０１２７】
図１４−２は、通信システムにおける通信時の動作例１を示すシーケンス図（その２）である。まず、ＨｅＮＢ３００の切替制御処理部３１５は、図１３によって把握したネットワーク品質および無線伝搬状況等に基づいて、ＵＥ２１１の通信方式をＷｉＦｉに決定したとする（ステップＳ１４２１）。切替制御処理部３１５は、ステップＳ１４２１による決定結果をＷｉＦｉ処理部３１４へ通知する。これにより、ＵＥ２１１およびＨｅＮＢ３００によるＷｉＦｉによる通信（ステップＳ１４２２）が開始される。
【０１２８】
ステップＳ１４２２において、ＨｅＮＢ３００の切替制御処理部３１５は、インターネット網２３３からの下りデータをＷｉＦｉ処理部３１４へ出力する。ＷｉＦｉ処理部３１４は、切替制御処理部３１５から出力された下りデータをＵＥ２１１へＷｉＦｉにより無線送信する。また、ＷｉＦｉ処理部３１４は、ＵＥ２１１からＷｉＦｉにより無線送信された上りデータを受信して切替制御処理部３１５へ出力する。切替制御処理部３１５は、ＷｉＦｉ処理部３１４から出力された上りデータをインターネット網２３３へ送信する。
【０１２９】
（通信システムにおける通信時の動作例２）
図１５−１は、通信システムにおける通信時の動作例２を示すシーケンス図（その１）である。まず、ＨｅＮＢ３００の切替制御処理部３１５は、図１３によって把握したネットワーク品質および無線伝搬状況等に基づいて、ＵＥ２１１の通信方式をＬＴＥに決定したとする（ステップＳ１５１１）。そして、切替制御処理部３１５は、ステップＳ１５１１による決定結果をＬＴＥ処理部３１３およびＷｉＦｉ処理部３１４の両方へ通知する。これにより、ＷｉＦｉ処理部３１４は、ＵＥ２１１からのＷｉＦｉによる通信の要求があっても（ステップＳ１５１２）、応答しない（ステップＳ１５１３）状態になる。
【０１３０】
また、ＬＴＥ処理部３１３は、ＵＥ２１１からのＬＴＥによる通信の要求があると（ステップＳ１５１４）、ＵＥ２１１との間でＬＴＥによる無線通信を開始する。これにより、ＵＥ２１１およびＨｅＮＢ３００によるＬＴＥによる通信（ステップＳ１５１５）が開始される。ステップＳ１５１５におけるＬＴＥによる通信は、図１４−１に示したステップＳ１４１２と同様である。
【０１３１】
このように、ＵＥ２１１の通信方式をＬＴＥに切り替える際に、ＨｅＮＢ３００は、ＵＥ２１１からの発呼シーケンスにおいて、ＵＥ２１１からのＷｉＦｉによる通信の要求に対して応答しないようにする。これにより、ＵＥ２１１にＬＴＥによる通信の要求を行わせ、ＬＴＥによる通信の要求に対しては応答することによりＵＥ２１１の通信方式をＬＴＥに切り替えることができる。このため、たとえばＵＥ２１１に対して指示信号等を送信しなくても、ＵＥ２１１の通信方式をＬＴＥに切り替えることができる。
【０１３２】
図１５−２は、通信システムにおける通信時の動作例２を示すシーケンス図（その２）である。まず、ＨｅＮＢ３００の切替制御処理部３１５は、図１３によって把握したネットワーク品質および無線伝搬状況等に基づいて、ＵＥ２１１の通信方式をＷｉＦｉに決定したとする（ステップＳ１５２１）。そして、切替制御処理部３１５は、ステップＳ１５２１による決定結果をＬＴＥ処理部３１３およびＷｉＦｉ処理部３１４の両方へ通知する。これにより、ＬＴＥ処理部３１３は、ＵＥ２１１からのＬＴＥによる通信の要求があっても（ステップＳ１５２２）、応答しない（ステップＳ１５２３）状態になる。
【０１３３】
また、ＷｉＦｉ処理部３１４は、ＵＥ２１１からのＷｉＦｉによる通信の要求があると（ステップＳ１５２４）、ＵＥ２１１との間でＷｉＦｉによる無線通信を開始する。これにより、ＵＥ２１１およびＨｅＮＢ３００によるＷｉＦｉによる通信（ステップＳ１５２５）が開始される。ステップＳ１５２５におけるＷｉＦｉによる通信は、図１４−２に示したステップＳ１４２２と同様である。
【０１３４】
このように、ＵＥ２１１の通信方式をＷｉＦｉに切り替える際に、ＨｅＮＢ３００は、ＵＥ２１１からの発呼シーケンスにおいて、ＵＥ２１１からのＬＴＥによる通信の要求に対して応答しないようにする。これにより、ＵＥ２１１にＷｉＦｉによる通信の要求を行わせ、ＷｉＦｉによる通信の要求に対しては応答することによりＵＥ２１１の通信方式をＷｉＦｉに切り替えることができる。このため、たとえばＵＥ２１１に対して指示信号等を送信しなくても、ＵＥ２１１の通信方式をＷｉＦｉに切り替えることができる。
【０１３５】
（ＵＥの構成の変形例）
図１６は、ＵＥの構成の変形例を示す図である。図１６において、図５−１に示した部分と同様の部分については同一の符号を付して説明を省略する。図１６に示すように、ＵＥ５００は、図５−１に示した構成に加えて切替制御処理部１６１０を備えていてもよい。切替制御処理部１６１０は、ＬＴＥ処理部５１３またはＷｉＦｉ処理部５１４を介してＨｅＮＢ３００からの指示信号を受信する。そして、切替制御処理部１６１０は、受信した指示信号に基づいて、ＬＴＥ処理部５１３を用いたＬＴＥによる通信と、ＷｉＦｉ処理部５１４を用いたＷｉＦｉによる通信と、を切り替える。
【０１３６】
（通信システムにおける通信時の動作例３）
図１７は、通信システムにおける通信時の動作例３を示すシーケンス図である。図１６に示したＵＥ５００の構成を用いる場合は、通信システム２００において、たとえば図１７に示す各ステップが実行される。まず、ＵＥ２１１とＨｅＮＢ３００との間でＬＴＥによる通信が行われているとする（ステップＳ１７０１）。ステップＳ１７０１におけるＬＴＥによる通信は、図１４−１に示したステップＳ１４１２と同様である。
【０１３７】
つぎに、モバイルネットワーク２３５の回線状況が変化し、モバイルネットワーク２３５における遅延が増加したとする（ステップＳ１７０２）。また、ＨｅＮＢ３００の切替制御処理部３１５は、ステップＳ１７０２における遅延の増加に応じて、ＵＥ２１１が使用する通信方式のＷｉＦｉへの切替を決定したとする（ステップＳ１７０３）。
【０１３８】
つぎに、ＨｅＮＢ３００の切替制御処理部３１５は、ＷｉＦｉによる通信を開始することを指示するＷｉＦｉ＿ＯＮ指示を、ＷｉＦｉ処理部３１４を介してＵＥ２１１へ送信する（ステップＳ１７０４）。ステップＳ１７０４によるＷｉＦｉ＿ＯＮ指示は、ＵＥ２１１のＷｉＦｉ処理部５１４を介して切替制御処理部１６１０によって受信される。
【０１３９】
つぎに、ＨｅＮＢ３００の切替制御処理部３１５は、ＷｉＦｉによる通信への切替のタイミングを示す切替タイミング指示をＬＴＥ処理部３１３およびＷｉＦｉ処理部３１４へ出力する（ステップＳ１７０５）。
【０１４０】
つぎに、ＬＴＥ処理部３１３が、ステップＳ１７０５によって出力された切替タイミング指示が示す切替タイミングをＵＥ２１１へ通知する（ステップＳ１７０６）。ステップＳ１７０６によって通知された切替タイミングは、ＬＴＥ処理部５１３を介して切替制御処理部１６１０へ通知される。
【０１４１】
また、ＷｉＦｉ処理部３１４が、ステップＳ１７０５によって出力された切替タイミング指示が示す切替タイミングをＵＥ２１１へ通知する（ステップＳ１７０７）。ステップＳ１７０７によって通知された切替タイミングは、ＷｉＦｉ処理部５１４を介して切替制御処理部１６１０へ通知される。
【０１４２】
つぎに、切替制御処理部１６１０が、ステップＳ１７０６，Ｓ１７０７によって通知された切替タイミングになると、ＷｉＦｉによる通信への切替を指示する切替指示をＬＴＥ処理部５１３およびＷｉＦｉ処理部５１４へ出力する（ステップＳ１７０８）。
【０１４３】
これに対して、ＬＴＥ処理部５１３がＬＴＥによる通信を切断し、ＷｉＦｉ処理部５１４がＷｉＦｉによる通信を開始することにより、ＵＥ２１１とＨｅＮＢ３００との間でＷｉＦｉによる通信（ステップＳ１７０９）が開始される。ステップＳ１７０９におけるＷｉＦｉによる通信は、図１４−２に示したステップＳ１４２２と同様である。
【０１４４】
このように、切替制御処理部１６１０は、通信方式の切替タイミング指示をＨｅＮＢ３００から受信し、切替タイミング指示が示すタイミングで切替指示をＬＴＥ処理部５１３およびＷｉＦｉ処理部５１４に通知する。これにより、刻々と変わる伝搬状況、回線状況、データ量等に応じて、通信中にＬＴＥおよびＷｉＦｉを切り替えることができる。また、ＨｅＮＢ３００のＵＥ２１１の両方でタイミングを合わせて通信方式を切り替えることができる。
【０１４５】
（ＨｅＮＢの切替制御処理部の構成の変形例）
図１８は、ＨｅＮＢの切替制御処理部の構成の変形例を示す図である。図１８において、図４に示した部分と同様の部分については同一の符号を付して説明を省略する。図１８に示すように、ＨｅＮＢ３００の切替制御処理部３１５は、図４に示した構成に加えてプロトコルスタック変換部１８１０を備えていてもよい。
【０１４６】
（通信システムにおける通信時の動作例４）
図１９は、通信システムにおける通信時の動作例４を示すシーケンス図である。図１８に示したＨｅＮＢ３００の切替制御処理部３１５の構成を用いる場合は、通信システム２００において、たとえば図１９に示す各ステップが実行される。
【０１４７】
まず、ＵＥ２１１が、インターネット網２３３との間でＬＴＥによる通信を行っているとする（ステップＳ１９０１）。ステップＳ１９０１において、ＨｅＮＢ３００の切替制御処理部３１５は、インターネット網２３３からの下りデータを、モバイルネットワーク２３５を介して受信し、受信した下りデータをＬＴＥ処理部３１３へ出力する。ＬＴＥ処理部３１３は、切替制御処理部３１５から出力された下りデータをＵＥ２１１へＬＴＥにより無線送信する。また、ＬＴＥ処理部３１３は、ＵＥ２１１からＬＴＥにより無線送信された上りデータを受信して切替制御処理部３１５へ出力する。切替制御処理部３１５は、ＬＴＥ処理部３１３から出力された上りデータを、モバイルネットワーク２３５を介してインターネット網２３３へ送信する。
【０１４８】
また、ＵＥ２１２が、モバイルネットワーク２３５との間でＬＴＥによる通信を行っているとする（ステップＳ１９０２）。ステップＳ１９０２におけるＬＴＥによる通信は、図１４−１に示したステップＳ１４１２と同様である。
【０１４９】
つぎに、モバイルネットワーク２３５の回線状況が変化し、モバイルネットワーク２３５における遅延が増加したとする（ステップＳ１９０３）。また、ＨｅＮＢ３００の切替制御処理部３１５は、ステップＳ１９０３における遅延の増加に応じて、ＵＥ２１１におけるインターネット網２３３との通信における回線を変更したとする（ステップＳ１９０４）。たとえば、切替制御処理部３１５は、ＵＥ２１１とインターネット網２３３との間の通信を、プロトコルスタックの変換を行いながら中継する（ステップＳ１９０５）。
【０１５０】
ステップＳ１９０５において、切替制御処理部３１５は、インターネット網２３３からＷｉＦｉのプロトコルによって送信される下りデータを、モバイルネットワーク２３５を介さずに受信する。そして、切替制御処理部３１５は、受信した下りデータのプロトコルスタックをＬＴＥのプロトコルスタックに変換し、プロトコルスタックを変換した下りデータをＬＴＥ処理部３１３へ出力する。ＬＴＥ処理部３１３は、切替制御処理部３１５から出力された下りデータをＵＥ２１１へＬＴＥにより無線送信する。
【０１５１】
また、ＬＴＥ処理部３１３は、ＵＥ２１１からＬＴＥにより無線送信された上りデータを受信して切替制御処理部３１５へ出力する。切替制御処理部３１５は、ＬＴＥ処理部３１３からＬＴＥのプロトコルスタックにより出力された上りデータを、ＷｉＦｉのプロトコルスタックに変換する。そして、切替制御処理部３１５は、プロトコルスタックを変換した上りデータを、モバイルネットワーク２３５を介さずにインターネット網２３３へ送信する。
【０１５２】
また、ＵＥ２１２は、ステップＳ１９０２と同様に、モバイルネットワーク２３５との間でＬＴＥによる通信を継続する（ステップＳ１９０６）。
【０１５３】
このように、ＨｅＮＢ３００は、ＵＥ２１１とインターネット網２３３との間の通信を、プロトコルスタックの変換を行いながら中継することにより、ＵＥ２１１が送受信するデータの伝送経路を切り替えることができる。たとえば、ＵＥ２１１はＨｅＮＢ３００との間でＬＴＥによる通信を継続しつつ、ＵＥ２１１とインターネット網２３３との間の回線を、モバイルネットワーク２３５を経由する回線から、モバイルネットワーク２３５を経由しない回線に切り替えることができる。
【０１５４】
以上説明したように、基地局、制御方法および通信システムによれば、通信の効率化を図ることができる。
【０１５５】
たとえば、ＨｅＮＢが担うサービスエリアは小さいため、一つのＨｅＮＢに在圏する複数のＵＥ間では無線伝搬状況が同様となる傾向にある。そのため、各ＵＥが無線伝搬状況に応じて通信方式を選択すると、各ＵＥが同一の通信方式を選択してしまい、通信方式の偏在が生じる場合がある。このため、通信方式の偏在による負荷集中が生じ、無線伝搬状況の悪化を解消させることができない場合がある。
【０１５６】
これに対して、ＨｅＮＢ３００は、無線伝搬状況の他に、ＵＥごとに固有の値となり得るネットワーク状況、サービス内容、データ量、課金（契約状況）などの情報に応じて切り替え論理を選択し、当該選択された切り替え論理に基づいて通信方式を選択する。これにより、通信方式の偏在を抑止しつつＨｅＮＢ配下のＵＥの通信方式を適切に制御することができる。
【０１５７】
また、たとえばＨｅＮＢ３００の上位監視装置であるＨｅＭＳ２３９などが集中的に通信方式を制御する構成に比べて、各家庭の状況を把握することが可能なＨｅＮＢ３００において通信方式を制御することにより、各家庭の状況に応じた適切な制御が可能になる。
【０１５８】
上述した実施の形態に関し、さらに以下の付記を開示する。
【０１５９】
（付記１）ネットワークまでの伝送経路が異なる複数の通信方式を使用可能な移動端末と前記ネットワークとの間の通信を中継する通信部と、
前記複数の通信方式のそれぞれの前記伝送経路における遅延量を測定する測定部と、
前記測定部による前記遅延量の測定結果を含む所定情報に基づいて前記複数の通信方式のうちの前記通信の中継に用いる通信方式を切り替える切替部と、
を備えることを特徴とする基地局。
【０１６０】
（付記２）前記複数の通信方式は、移動体通信網を経由して前記ネットワークに接続する第１通信方式と、前記移動体通信網を経由せずに前記ネットワークに接続する第２通信方式と、を含むことを特徴とする付記１に記載の基地局。
【０１６１】
（付記３）前記複数の通信方式は、移動体通信網を経由して前記ネットワークに接続するＬＴＥ（Ｌｏｎｇ  Ｔｅｒｍ  Ｅｖｏｌｕｔｉｏｎ）と、前記移動体通信網を経由せずに前記ネットワークに接続するＷＬＡＮ（Ｗｉｒｅｌｅｓｓ  Ｌｏｃａｌ  Ａｒｅａ  Ｎｅｔｗｏｒｋ：無線構内通信網）と、を含むことを特徴とする付記１に記載の基地局。
【０１６２】
（付記４）前記測定部は、前記複数の通信方式のそれぞれの前記伝送経路へ測定信号を送信し、送信した前記測定信号に対する応答信号を受信することによって前記複数の通信方式のそれぞれの前記伝送経路における遅延量を測定することを特徴とする付記１〜３のいずれか一つに記載の基地局。
【０１６３】
（付記５）前記測定部は、前記移動体通信網に接続された第１装置へ送信した測定信号に対する応答信号を受信することによって前記第１通信方式の伝送経路における遅延量を測定し、前記ネットワークに接続された第２装置へ前記移動体通信網を経由せずに送信した測定信号に対する応答信号を受信することによって前記第２通信方式の伝送経路における遅延量を測定することを特徴とする付記２に記載の基地局。
【０１６４】
（付記６）前記切替部は、前記複数の通信方式のそれぞれについての前記移動端末と自局との間の無線伝搬状況の測定結果を含む前記所定情報に基づいて前記通信の中継に用いる通信方式を切り替えることを特徴とする付記１〜５のいずれか一つに記載の基地局。
【０１６５】
（付記７）前記切替部は、前記移動端末が前記ネットワークとの間で送受信するデータ量を示す情報を含む前記所定情報に基づいて前記通信の中継に用いる通信方式を切り替えることを特徴とする付記１〜６のいずれか一つに記載の基地局。
【０１６６】
（付記８）前記切替部は、前記移動端末が前記ネットワークとの間で送受信するデータの種別を示す情報を含む前記所定情報に基づいて前記通信の中継に用いる通信方式を切り替えることを特徴とする付記１〜７のいずれか一つに記載の基地局。
【０１６７】
（付記９）前記切替部は、前記複数の通信方式の、自局に接続中の各移動端末による使用状況を示す情報を含む前記所定情報に基づいて前記通信の中継に用いる通信方式を切り替えることを特徴とする付記１〜８のいずれか一つに記載の基地局。
【０１６８】
（付記１０）前記切替部は、前記所定情報の内容と、前記複数の通信方式のうちのいずれかの通信方式と、が対応付けられたユーザ設定可能な対応情報に基づいて前記通信の中継に用いる通信方式を切り替えることを特徴とする付記１〜９のいずれか一つに記載の基地局。
【０１６９】
（付記１１）前記切替部は、前記所定情報に含まれる複数種類の情報の優先順位を示すユーザ設定可能な優先順位情報に基づいて、前記複数種類の情報のうちの前記優先順位が高い情報を優先的に選択し、選択した情報に基づいて前記通信の中継に用いる通信方式を切り替えることを特徴とする付記１〜１０のいずれか一つに記載の基地局。
【０１７０】
（付記１２）前記切替部は、前記複数の通信方式のうちの所定通信方式による通信を要求する前記移動端末からの要求信号に対して自局が応答しないことにより、前記移動端末が用いる通信方式を、前記複数の通信方式のうちの前記所定通信方式と異なる通信方式に切り替えることを特徴とする付記１〜１１のいずれか一つに記載の基地局。
【０１７１】
（付記１３）前記切替部は、前記複数の通信方式の中から前記所定情報に基づいて選択した通信方式への切替を指示する信号を前記移動端末へ送信することによって前記移動端末が用いる通信方式を切り替えることを特徴とする付記１〜１２のいずれか一つに記載の基地局。
【０１７２】
（付記１４）前記複数の通信方式は、
第１通信方式および前記第１通信方式と異なる第２通信方式を含み、
前記通信部は、
前記移動端末から前記第１通信方式により受信したデータを前記第１通信方式の伝送経路により前記ネットワークへ送信し、前記ネットワークから前記第１通信方式の伝送経路により受信したデータを前記第１通信方式により前記移動端末へ送信する第１状態と、
前記移動端末から前記第１通信方式により受信したデータを前記第２通信方式のプロトコルに変換して前記第２通信方式の伝送経路により前記ネットワークへ送信し、前記ネットワークから前記第２通信方式の伝送経路により受信したデータを前記第１通信方式のプロトコルに変換して前記第１通信方式により前記移動端末へ送信する第２状態と、
に切替可能であり、
前記切替部は、
前記所定情報に基づいて前記通信部を前記第１状態または前記第２状態に切り替える、
ことを特徴とする付記１〜１３のいずれか一つに記載の基地局。
【０１７３】
（付記１５）ネットワークまでの伝送経路が異なる複数の通信方式を使用可能な移動端末と前記ネットワークとの間の通信を中継する基地局における制御方法であって、
前記複数の通信方式のそれぞれの前記伝送経路における遅延量を測定し、
前記遅延量の測定結果を含む所定情報に基づいて前記複数の通信方式のうちの前記通信の中継に用いる通信方式を切り替える、
ことを特徴とする制御方法。
【０１７４】
（付記１６）ネットワークまでの伝送経路が異なる複数の通信方式を使用可能な移動端末と、
前記移動端末と前記ネットワークとの間の通信を中継し、前記複数の通信方式のそれぞれの前記伝送経路における遅延量を測定し、前記遅延量の測定結果を含む所定情報に基づいて前記複数の通信方式のうちの前記通信の中継に用いる通信方式を切り替える基地局と、
を含むことを特徴とする通信システム。
【符号の説明】
【０１７５】
１００，２００  通信システム
１０１  移動端末
１１０  基地局
１１１  通信部
１１２  測定部
１１３  切替部
１２１  第１伝送経路
１２２  第２伝送経路
１３０  ネットワーク
２１１〜２１６，５００  ＵＥ
２２１〜２２３，３００  ＨｅＮＢ
２３１  ブロードバンド回線
２３２  プロバイダ
２３３  インターネット網
２３４  遅延測定装置
２３５  モバイルネットワーク
２３６  Ｓ−ＧＷ
２３７  Ｐ−ＧＷ
２３８  ＭＭＥ
２３９  ＨｅＭＳ
３１１，３１２，５１１，５１２  アンテナ
３１３，５１３  ＬＴＥ処理部
３１４，５１４  ＷｉＦｉ処理部
３１５，１６１０  切替制御処理部
３１６  外部ＩＮＦ
３２１  ＲＦ＿ＩＣ
３２２，５２１  ＬＳＩ
３２３，５２２  ＳｏＣ
３２４，３２６，５２３，６２２，６２４，７２２  メモリ
３２５，６２３  ＣＰＵ
３２７  ＦＰＧＡ
４１０  ＧＷ部
４２０  記憶部
４３０  制御部
６１１  ＨｅＮＢ管理処理部
６１２，７１１  時刻情報取得部
６１３  遅延処理部
６２１，７２１  ネットワークＣＰＵ
７１２  ＩＰ送受信処理部
８００  選択条件テーブル
９００  優先順位情報
１２１０  ＰＣ
１８１０  プロトコルスタック変換部
【図１−１】
2014200035.tif 000003
【図１−２】
2014200035.tif 000004
【図２】
2014200035.tif 000005
【図３−１】
2014200035.tif 000006
【図３−２】
2014200035.tif 000007
【図４】
2014200035.tif 000008
【図５−１】
2014200035.tif 000009
【図５−２】
2014200035.tif 000010
【図６−１】
2014200035.tif 000011
【図６−２】
2014200035.tif 000012
【図７−１】
2014200035.tif 000013
【図７−２】
2014200035.tif 000014
【図８】
2014200035.tif 000015
【図９】
2014200035.tif 000016
【図１０−１】
2014200035.tif 000017
【図１０−２】
2014200035.tif 000018
【図１１】
2014200035.tif 000019
【図１２】
2014200035.tif 000020
【図１３】
2014200035.tif 000021
【図１４−１】
2014200035.tif 000022
【図１４−２】
2014200035.tif 000023
【図１５−１】
2014200035.tif 000024
【図１５−２】
2014200035.tif 000025
【図１６】
2014200035.tif 000026
【図１７】
2014200035.tif 000027
【図１８】
2014200035.tif 000028
【図１９】
2014200035.tif 000029